(57)【要約】【課題】アピリオディックＳＲＳの送信において、リソースオーバーヘッドを低減し、かつ、ＬＴＥの仕様から大きな変更を伴わない無線通信システム、移動局装置および基地局装置を提供する。【解決手段】基地局装置と、ＳＣ−ＦＤＭＡ（Single Carrier Frequency Division Multiple Access）方式でデータ信号を前記基地局装置に対して送信する移動局装置とから構成され、前記移動局装置から前記基地局装置に対してチャネル測定用の参照信号を送信する無線通信システムであって、前記チャネル測定用の参照信号は、前記基地局装置から前記移動局装置毎に割り当てられるデータ送信用チャネルを用いて送信される。【選択図】図４
2011035785.tif 000002
【特許請求の範囲】
【請求項１】
基地局装置と、ＳＣ−ＦＤＭＡ（Single Carrier Frequency Division Multiple Access）方式でデータ信号を前記基地局装置に対して送信する移動局装置とから構成され、前記移動局装置から前記基地局装置に対してチャネル測定用の参照信号を送信する無線通信システムであって、
前記チャネル測定用の参照信号は、前記基地局装置から前記移動局装置毎に割り当てられるデータ送信用チャネルを用いて送信されることを特徴とする無線通信システム。
【請求項２】
前記基地局装置は、複数の移動局装置のそれぞれに対して、データ送信用チャネルを割り当て、
第１の移動局装置は、データ復調に用いられるチャネル推定用の参照信号を前記基地局装置に対して送信し、
第２の移動局装置は、前記第１の移動局装置が前記チャネル推定用の参照信号を送信する時刻と同時刻で、前記チャネル測定用の参照信号を送信し、
前記チャネル推定用の参照信号と、前記チャネル測定用の参照信号とは、相互に直交する系列であることを特徴とする請求項１記載の無線通信システム。
【請求項３】
前記チャネル推定用の参照信号と、前記チャネル測定用の参照信号とは、ＣＡＺＡＣ（Constant Amplitude and Zero-AutoCorrelation）系列に対して異なるサイクリックシフトを適用することにより生成されることを特徴とする請求項２記載の無線通信システム。
【請求項４】
前記基地局装置は、上りリンク割り当て情報に付与した誤り検出用ＣＲＣビットに対して、予め決められたビット系列の排他的論理和を適用することによって、下りリンク制御チャネルで、前記第２の移動局装置に対して、前記第１の移動局装置が前記チャネル推定用の参照信号を送信する時刻と同時刻で、前記チャネル測定用の参照信号を送信するよう通知することを特徴とする請求項２記載の無線通信システム。
【請求項５】
前記移動局装置は、
前記チャネル測定用の参照信号として、
前記チャネル測定用の参照信号の直交符号系列をいずれかのＳＣ−ＦＤＭＡシンボルにマッピングし、送信アンテナに対して、前記チャネル測定用の参照信号の直交符号系列と前記ＳＣ−ＦＤＭＡシンボルとを対応させて前記基地局装置に対して送信することを特徴とする請求項１記載の無線通信システム。
【請求項６】
前記基地局装置は、複数の移動局装置のそれぞれに対して、データ送信用チャネルを割り当てると共に、前記移動局装置毎に、前記チャネル測定用の参照信号を送信するＳＣ−ＦＤＭＡシンボルと、前記チャネル測定用の参照信号の直交符号系列との組合せが異なるように割り当てることを特徴とする請求項５記載の無線通信システム。
【請求項７】
前記チャネル測定用の参照信号の直交符号系列がマッピングされなかったＳＣ−ＦＤＭＡシンボルに、データ信号またはＣＱＩ（Channel Quality Indicator）をマッピングして、前記基地局装置へ送信することを特徴とする請求項５記載の無線通信システム。
【請求項８】
ＳＣ−ＦＤＭＡ（Single Carrier Frequency Division Multiple Access）方式でデータ信号を基地局装置に対して送信する移動局装置であって、
前記基地局装置から割り当てられるデータ送信用チャネルを用いて、前記基地局装置に対して、チャネル測定用の参照信号を送信することを特徴とする移動局装置。
【請求項９】
他の移動局装置が前記チャネル推定用の参照信号を送信する時刻と同時刻で、前記チャネル測定用の参照信号を送信し、
前記チャネル推定用の参照信号と、前記チャネル測定用の参照信号とは、相互に直交する系列であることを特徴とする請求項８記載の移動局装置。
【請求項１０】
請求項９記載の移動局装置と無線通信を行なう基地局装置であって、上りリンク割り当て情報に付与した誤り検出用ＣＲＣビットに対して、予め決められたビット系列の排他的論理和を適用することによって、下りリンク制御チャネルで、前記移動局装置に対して、前記他の移動局装置が前記チャネル推定用の参照信号を送信する時刻と同時刻で、前記チャネル測定用の参照信号を送信するよう通知することを特徴とする基地局装置。
【発明の詳細な説明】
【技術分野】
【０００１】
本発明は、通信技術に関し、より詳細には、送信および受信する基地局装置、移動局装置を有する移動通信システムにおいて、ＭＩＭＯに対応したサウンディング参照信号を効率よく送信する技術および、その受信技術に関する。
【背景技術】
【０００２】
ＬＴＥ上りリンクのＭＩＭＯ適用に伴うＳＲＳのオーバーヘッドを削減するために、非特許文献１および非特許文献２のような方法が提案されている。非特許文献１では、ＳＲＳにプレコーディングを行なうことにより、論理的な送信ポート数を削減することを提案している。具体的に、移動局装置のもつアンテナ数が４であったとき、これに3x4 の行列を乗算することでＳＲＳに要するアンテナポート数、つまり直交するリソースの利用を3に削減することができる。予め最適なランクやプレコーダを基地局装置が分かっている場合には、この手法によってＳＲＳ系列の送信数を削減することができる。
【０００３】
非特許文献２では、ＳＲＳが足りない場合に、下りリンク制御チャネルで各移動局装置に送信される上りリンクリソース割り当て情報の中に、一度きりのＳＲＳ送信を指令する情報を含めることを提案している。ここで、１回の設定で２回（２サブフレーム）以上の周期的なＳＲＳ送信をピリオディックＳＲＳと呼称し、１回の設定で１度（１サブフレーム）だけのＳＲＳ送信をアピリオディックＳＲＳと呼称する。非特許文献２で提案するアピリオディックＳＲＳの方法により、基地局装置がＭＩＭＯ通信を行ないたいタイミングをトリガにしてＳＲＳを送信することが可能であり、必要以上に周期的ＳＲＳリソースを移動局装置に割り当てることによるオーバーヘッドを削減することができる。
【先行技術文献】
【非特許文献】
【０００４】
【非特許文献１】R1-091738, “Precoded SRS for LTE-Advanced”, 3GPP TSG RAN WG1 Meeting #57, San Francisco, USA, 4-8 May, 2009
【非特許文献２】R1-091879,  “SRS Transmission Issues in LTE-A“, 3GPP TSG RAN WG1 Meeting #57, San Francisco, USA, 4-8 May, 2009
【発明の概要】
【発明が解決しようとする課題】
【０００５】
しかしながら、非特許文献１では、ＳＲＳの用途の一つである変調方式、符号化率を決定することを主眼に置いた方法であり、プレコーディングを行なって論理アンテナポート数を削減したＳＲＳでは、ランクとプレコーダを算出することができない。よって、ランクとプレコーダを算出するためのＳＲＳと、変調方式、符号化率を決定するためのＳＲＳの２とおりの設定が必要になるという問題があった。
【０００６】
非特許文献２の方法は、ＳＲＳサブフレームの空きを有効利用して、１個のサブフレームで１度ＳＲＳを送信するが、ＳＲＳを利用しない場合にもそのリソースは確保されることになる。ＳＲＳを状況に応じていつでも送信できるようにするには、利用されていないＳＲＳ領域を多く確保しておく必要があり、柔軟性を高くするとオーバーヘッドが大きくなり、結果として当初目的としていたオーバーヘッド削減効果が小さくなるという問題があった。
【０００７】
本発明は、このような事情に鑑みてなされたものであり、上記のアピリオディックＳＲＳの送信において、リソースオーバーヘッドを低減し、かつ、ＬＴＥの仕様から大きな変更を伴わない無線通信システム、移動局装置および基地局装置を提供することを目的とする。
【課題を解決するための手段】
【０００８】
（１）上記の目的を達成するために、本発明は、以下のような手段を講じた。すなわち、本発明の無線通信システムは、基地局装置と、ＳＣ−ＦＤＭＡ（Single Carrier Frequency Division Multiple Access）方式でデータ信号を前記基地局装置に対して送信する移動局装置とから構成され、前記移動局装置から前記基地局装置に対してチャネル測定用の参照信号を送信する無線通信システムであって、前記チャネル測定用の参照信号は、前記基地局装置から前記移動局装置毎に割り当てられるデータ送信用チャネルを用いて送信されることを特徴とする。
【０００９】
このように、チャネル測定用の参照信号は、基地局装置から移動局装置毎に割り当てられるデータ送信用チャネルを用いて送信されるので、ＳＲＳ（チャネル測定用の参照信号）を送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【００１０】
（２）また、本発明の無線通信システムにおいて、前記基地局装置は、複数の移動局装置のそれぞれに対して、データ送信用チャネルを割り当て、第１の移動局装置は、データ復調に用いられるチャネル推定用の参照信号を前記基地局装置に対して送信し、第２の移動局装置は、前記第１の移動局装置が前記チャネル推定用の参照信号を送信する時刻と同時刻で、前記チャネル測定用の参照信号を送信し、前記チャネル推定用の参照信号と、前記チャネル測定用の参照信号とは、相互に直交する系列であることを特徴とする。
【００１１】
このように、第２の移動局装置は、第１の移動局装置がチャネル推定用の参照信号を送信する時刻と同時刻で、チャネル測定用の参照信号を送信し、チャネル推定用の参照信号と、チャネル測定用の参照信号とは、相互に直交する系列であるので、ＳＲＳを送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【００１２】
（３）また、本発明の無線通信システムにおいて、前記チャネル推定用の参照信号と、前記チャネル測定用の参照信号とは、ＣＡＺＡＣ（Constant Amplitude and Zero-AutoCorrelation）系列に対して異なるサイクリックシフトを適用することにより生成されることを特徴とする。
【００１３】
このように、チャネル推定用の参照信号と、チャネル測定用の参照信号とは、ＣＡＺＡＣ（Constant Amplitude and Zero-AutoCorrelation）系列に対して異なるサイクリックシフトを適用するので、ＤＭＲＳを送信するＳＣ−ＦＤＭＡシンボルのみでＳＲＳを送信することができる。
【００１４】
（４）また、本発明の無線通信システムにおいて、前記基地局装置は、上りリンク割り当て情報に付与した誤り検出用ＣＲＣビットに対して、予め決められたビット系列の排他的論理和を適用することによって、下りリンク制御チャネルで、前記第２の移動局装置に対して、前記第１の移動局装置が前記チャネル推定用の参照信号を送信する時刻と同時刻で、前記チャネル測定用の参照信号を送信するよう通知することを特徴とする。
【００１５】
このように、基地局装置が、上りリンク割り当て情報に付与した誤り検出用ＣＲＣビットに対して、予め決められたビット系列の排他的論理和を適用するので、移動局装置Ａ（第１の移動局装置）と移動局装置Ｂ（第２の移動局装置）のそれぞれに送信されるＵＬ  Ｇｒａｎｔの識別をすることができる。
【００１６】
（５）また、本発明の無線通信システムにおいて、移動局装置は、チャネル測定用の参照信号として、チャネル測定用の参照信号の直交符号系列をいずれかのＳＣ−ＦＤＭＡシンボルにマッピングし、送信アンテナに対して、チャネル測定用の参照信号の直交符号系列とＳＣ−ＦＤＭＡシンボルとを対応させて基地局装置に対して送信することを特徴とする。
【００１７】
このように、チャネル測定用の参照信号の直交符号系列とＳＣ−ＦＤＭＡシンボルとを対応させて基地局装置に対して送信するので、一つの移動局装置にのみ着目した手順で、ＳＲＳを送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【００１８】
（６）また、本発明の無線通信システムにおいて、前記基地局装置は、複数の移動局装置のそれぞれに対して、データ送信用チャネルを割り当てると共に、前記移動局装置毎に、前記チャネル測定用の参照信号を送信するＳＣ−ＦＤＭＡシンボルと、前記チャネル測定用の参照信号の直交符号系列との組合せが異なるように割り当てることを特徴とする。
【００１９】
このように、移動局装置毎に、チャネル測定用の参照信号を送信するＳＣ−ＦＤＭＡシンボルと、チャネル測定用の参照信号の直交符号系列との組合せが異なるように割り当てるので、複数の移動局装置のＳＲＳを同時に多重することができる。
【００２０】
（７）また、本発明の無線通信システムにおいて、前記チャネル測定用の参照信号の直交符号系列がマッピングされなかったＳＣ−ＦＤＭＡシンボルに、データ信号またはＣＱＩ（Channel Quality Indicator）をマッピングして、前記基地局装置へ送信することを特徴とする。
【００２１】
このように、チャネル測定用の参照信号の直交符号系列がマッピングされなかったＳＣ−ＦＤＭＡシンボルに、データ信号またはＣＱＩ（Channel Quality Indicator）をマッピングするので、ＳＲＳ送信に割り当てられていないＳＣ−ＦＤＭＡシンボルを有効に活用することができる。
【００２２】
（８）また、本発明の移動局装置は、ＳＣ−ＦＤＭＡ（Single Carrier Frequency Division Multiple Access）方式でデータ信号を基地局装置に対して送信する移動局装置であって、前記基地局装置から割り当てられるデータ送信用チャネルを用いて、前記基地局装置に対して、チャネル測定用の参照信号を送信することを特徴とする。
【００２３】
このように、基地局装置から割り当てられるデータ送信用チャネルを用いて、基地局装置に対して、チャネル測定用の参照信号を送信するので、移動局装置は、ＳＲＳ（チャネル測定用の参照信号）を送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【００２４】
（９）また、本発明の移動局装置において、他の移動局装置が前記チャネル推定用の参照信号を送信する時刻と同時刻で、前記チャネル測定用の参照信号を送信し、前記チャネル推定用の参照信号と、前記チャネル測定用の参照信号とは、相互に直交する系列であることを特徴とする。
【００２５】
このように、他の移動局装置がチャネル推定用の参照信号を送信する時刻と同時刻で、チャネル測定用の参照信号を送信し、チャネル推定用の参照信号と、チャネル測定用の参照信号とは、相互に直交する系列であるので、移動局装置は、ＳＲＳを送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【００２６】
（１０）また、本発明の基地局装置は、（９）記載の移動局装置と無線通信を行なう基地局装置であって、上りリンク割り当て情報に付与した誤り検出用ＣＲＣビットに対して、予め決められたビット系列の排他的論理和を適用することによって、下りリンク制御チャネルで、前記移動局装置に対して、前記他の移動局装置が前記チャネル推定用の参照信号を送信する時刻と同時刻で、前記チャネル測定用の参照信号を送信するよう通知することを特徴とする。
【００２７】
このように、基地局装置が、上りリンク割り当て情報に付与した誤り検出用ＣＲＣビットに対して、予め決められたビット系列の排他的論理和を適用するので、移動局装置は、移動局装置Ａ（第１の移動局装置）と移動局装置Ｂ（第２の移動局装置）のそれぞれに送信されるＵＬ  Ｇｒａｎｔの識別をすることができる。
【発明の効果】
【００２８】
本発明に記載されたアピリオディックＳＲＳの送信によると、ＳＲＳを送信するためのリソース確保に関わるオーバーヘッドを低減することができる。かつ、ＬＴＥの仕様から大きな変更を伴わず、既存のＬＴＥに対応した移動局装置との後方互換性も保たれ、ＬＴＥの無線物理構造をそのまま利用できることから、仕様に対するインパクトも軽減することができる。
【図面の簡単な説明】
【００２９】
【図１】本発明の実施形態に係る基地局装置の一構成例を示す機能ブロック図である。
【図２】本発明の実施形態に係る移動局装置の一構成例を示す機能ブロック図である。
【図３】本発明の第１の実施形態に係る基地局装置から移動局装置Ａ、移動局装置ＢへＳＲＳの設定が行なわれ、アピリオディックＳＲＳが送信されることを想定したシーケンスチャートである。
【図４】本発明の第１の実施形態に係るＳＲＳの送信の方法について具体的に示した図である。
【図５】本発明の第２の実施形態に係る基地局装置と移動局装置との間の処理および信号の流れを示すシーケンスチャートである。
【図６】本発明の第２の実施形態に係るＳＲＳの送信の方法について具体的に示した図である。
【図７】本発明の第３の実施形態に係る基地局装置と移動局装置との間の処理および信号の流れを示すシーケンスチャートである。
【図８Ａ】本発明の第３の実施形態に係るＳＲＳの送信の方法について具体的に示した図である（CQIと同時送信）。
【図８Ｂ】本発明の第３の実施形態に係るＳＲＳの送信の方法について具体的に示した図である（データと同時送信）。
【図９】ＬＴＥにおけるＳＲＳの送信の方法について具体的に示した図である。
【図１０】ＬＴＥにおけるサウンディングサブフレームの詳細な構成を示す図である。
【図１１】ＬＴＥにおけるＳＲＳの送信方法を示す図である。
【発明を実施するための形態】
【００３０】
次世代セルラー移動通信の一方式として、国際的な標準化プロジェクトである３ＧＰＰ（3rd Generation Partnership Project）において、Ｗ−ＣＤＭＡ（Wideband-Code Division Multiple Access）とＧＳＭ（Global System for Mobile Communications）を発展させたネットワークの仕様に関して検討が行なわれている。
【００３１】
３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（High-Speed Downlink Packet Access）も標準化され、サービスが運用されている。現在、３ＧＰＰでは、第３世代無線アクセス技術の進化（Long Term Evolution：以下、「LTE」と呼ぶ）や、更なる通信速度の高速化へ向けたＬＴＥ Ａｄｖａｎｃｅｄ（以下、「LTE-A」と呼ぶ）についても検討が行なわれている。
【００３２】
ＬＴＥにおける上りリンクデータの送信では、基地局装置から割り当てられたリソースに基づくＳＣ−ＦＤＭＡ（Single Carrier Frequency Division Multiple Access）をベースにした通信方式が採用されている。具体的には変調された送信信号はＤＦＴ（Discrete Fourier Transformation）により周波数領域の信号へと変換され、基地局装置により割り当てられた周波数リソースにマッピングされた後、ＩＤＦＴ（Inverse DFT）により時間領域の信号へと変換され基地局装置へと送信される。ここでは、上りリンクデータとは上位レイヤから渡され、物理層では各ビットの意味を解釈しないデータに対応し、トランスポートチャネルで定義されたＵＬ−ＳＣＨ（Uplink Shared Channel）と呼称することとする。実際に送信されるデータはＵＬ−ＳＣＨに対して符号化などの処理が施されたものであり、基地局装置によって割り当てられたＰＵＳＣＨ（Physical Uplink Shared Channel）と呼ばれるデータ送信チャネルでこれが送信される。
【００３３】
ＬＴＥの上りリンクでは２本の送信アンテナから適応的に１本の送信アンテナを選択するアンテナスイッチングをサポートするだけであったが、ＬＴＥ−Ａでは、上りリンク方式の拡張として、ＭＩＭＯ（Multiple Input Multiple Output）による空間多重の適用が検討されており、ＵＬ−ＳＣＨのデータは空間多重されて複数の系列が送信される。ここで、ＵＬ−ＳＣＨに適用する符号化率、変調方式は、移動局装置から基地局装置に送信されるサウンディング参照信号（SRS: Sounding Reference Signal、チャネル測定用の参照信号）を元に算出される。ＳＲＳはこの用途のほかに、周波数スケジューリングの用途にも利用される。
【００３４】
図９は、ＬＴＥにおけるＳＲＳの送信の方法について具体的に示した図である。基地局装置は、それと通信をする移動局装置全体との間にサウンディングサブフレームを設定し、具体的にはサウンディングサブフレームは基準サブフレームからのオフセットと周期が与えられる。サウンディングサブフレームは全移動局装置に対して共通であり、このサブフレームにおいてＳＲＳが送信されることを意味する。
【００３５】
図１０は、ＬＴＥにおけるサウンディングサブフレームの詳細な構成を示す図である。ただし、図１０にはＰＵＳＣＨの割り当てに利用できる帯域のみ記載しており、制御情報を送信するチャネルについては省略している。図１０における縦軸は周波数軸であり、一つのブロックはサブキャリアを表す。ＬＴＥでは連続する１２サブキャリアをまとめてリソース割り当て単位としており、これをリソースブロック（RB：Resource Block）と呼称している。一方横軸は時間軸であり、周波数領域を時間領域に変換し、サイクリックプレフィックスを付与する単位によって時間を分割している。これを１ＳＣ−ＦＤＭＡシンボルと呼称する。
【００３６】
ＬＴＥでは連続する７ＳＣ−ＦＤＭＡシンボルにより１スロットを構成し、２スロットをまとめて１サブフレームを構成する。サブフレームはＬＴＥおよびＬＴＥ−Ａにおける時間領域でのリソースの割り当て単位となっている。図１０に示されるように、それぞれのＳＣ−ＦＤＭＡシンボルは異なる用途に利用することができ、ＳＣ−ＦＤＭＡシンボル３番はデータ復調用の参照信号（DMRS: Demodulation Reference Signal（データ復調に用いられるチャネル推定用の参照信号））の送信のために利用される。スロット１番におけるＳＣ−ＦＤＭＡシンボル６番はＳＲＳの送信のために利用される。それ以外のＳＣ−ＦＤＭＡシンボルはデータ送信用に利用される。ここで、ＤＭＲＳおよびＳＲＳは、他のユーザとの多重や、アンテナ識別のために直交符号が利用されており、ＬＴＥではＣＡＺＡＣ（Constant Amplitude and Zero-AutoCorrelation）系列を時間軸上でサイクリックシフトさせた系列が利用されている。
【００３７】
図１１は、ＬＴＥにおけるＳＲＳの送信方法を示す図である。基地局装置は、移動局装置ごとにＳＲＳの送信に関する設定を行なう。ここで、設定とは、ＳＲＳサブフレームのうち、移動局装置が利用できるサブフレームの位置をオフセットと周期により設定することを表すと共に、ＳＲＳがサポートする帯域、１サブフレームにて送信されるＳＲＳ帯域幅、およびどのアンテナから送信されるかを表す。
【００３８】
具体的に図１１を用いて説明すると、ここでは偶数サブフレームがＳＲＳサブフレームとして設定されており、そのうち｛４、８、１２、１６、２０、２４｝サブフレームがこの移動局装置に割り当てられている。また、この移動局装置のＳＲＳがサポートする帯域はシステム帯域幅の一部であるＡであり、１回のＳＲＳ送信で帯域Ａの幅の三分の一つまり帯域Ａ１、Ａ２、Ａ３が予め決められた順序で送信される。また、この移動局装置は2本の送信アンテナを具備していることを想定しており、１サブフレームで一つのアンテナに対応したＳＲＳを送信する。具体的にこの例においては、アンテナ＃０、＃１をそれぞれの送信タイミングで交互に送信するように設定される。
【００３９】
ＬＴＥでは以上のような手順によりＳＲＳが送信されるが、ＬＴＥ−ＡではＭＩＭＯ空間多重をサポートするため、これにあわせたＳＲＳの送信方式の変更が必要となる。具体的に、ＬＴＥでは基地局装置が知るべきであった送信アンテナに対応するチャネル情報は２であったが、ＬＴＥ−Ａでは最大４本の送信アンテナによる空間多重がサポートされるため、ＬＴＥ−ＡにおいてＳＲＳに要するオーバーヘッドは単純にＬＴＥの２倍となり得る。さらに、ＬＴＥ−ＡではＳＲＳを利用してチャネルの状況に応じた空間多重数（ランク）を計算し、それに合わせた上りリンク通信を行なうことが望ましい。さらに上りリンク通信の品質を高めるためには送信信号をあらかじめ前処理して送信することが有効であるが、最適な前処理系列（プレコーダ）の算出もＳＲＳを利用して行なう必要がある。つまり、ＬＴＥ−ＡではＬＴＥと比較して、さらに高頻度かつ高精度なＳＲＳの送信を実現しなければならない。以下、本発明の実施形態について図面を参照して説明する。
【００４０】
（第１の実施形態）
本発明の第１の実施形態による移動通信システムは、基地局装置と移動局装置とを有している。
【００４１】
図１は、本発明の実施形態に係る基地局装置の一構成例を示す機能ブロック図である。本実施形態による基地局装置は、送信部１１０、スケジューリング部１２０、受信部１３０、およびアンテナ１４０を備えている。送信部１１０は、符号化部１１１、変調部１１２、マッピング部１１３、無線送信部１１４を備えている。また、スケジューリング部１２０は、下りリンク送信リソース情報制御部１２１、上りリンク送信リソース情報制御部１２２、ピリオディックＳＲＳ送信スケジュール制御部１２３、アピリオディックＳＲＳ送信スケジュール制御部１２４を備えており、受信部１３０は無線受信部１３１、ＳＲＳ分離・算出部１３２、逆マッピング・復調処理部１３３を備えている。アンテナ１４０は、下りリンク信号の送信および上りリンク信号の受信に必要な数だけ備えられている。
【００４２】
基地局装置において生成された、各移動局装置に送信する下りリンクデータと、スケジューリング部１２０から出力される制御情報送信のためのスケジューリング情報は、符号化部１１１に入力され、それぞれがスケジューリング部１２０からの制御信号に従った符号化が施され符号化ビット列が出力される。スケジューリング部１２０からの制御信号とは符号化率を表す情報や、たとえばターボ符号、テイルバイティング畳み込み符号などの符号化方式を表すものである。また、複数の情報を組み合わせて符号化されてもよく、それぞれの情報が個別に符号化されてもよい。ここで、スケジューリング部１２０から提供される情報とは、アピリオディックＳＲＳの送信に関する制御情報を含むことが特徴であり、たとえばＰＵＳＣＨの割り当て情報、アピリオディックＳＲＳの系列、送信するＳＣ−ＦＤＭＡシンボルの情報などが含まれた上りリンクリソース割り当て情報（UL Grant）のことを表す。
【００４３】
符号化部１１１の複数の出力ビット列は変調部１１２に入力され、それぞれがスケジューリング部１２０からの制御信号に従った変調、たとえばＢＰＳＫ、ＱＰＳＫ、１６ＱＡＭ、６４ＱＡＭのシンボルに変換され出力される。変調部１１２の出力はスケジューリング部１２０から提供される下りスケジューリングの情報とともにマッピング部１１３へ入力され、送信データが生成される。ここで送信データとは、例えばＯＦＤＭ信号のことを指しており、マッピング動作とは移動局装置ごとに指定された周波数、時間リソースに対応させる動作に相当する。また、ＭＩＭＯによる空間多重が採用されていれば、この処理がこのブロックにおいて行なわれる。ここで制御情報とは、上りリンクもしくは下りリンクのリソース割り当て情報、つまり送信タイミングと周波数リソースの情報、上りリンクもしくは下りリンク信号の変調方式および符号化率、および、移動局装置に対するＣＱＩ、ＰＭＩ、ＲＩの送信要求などのことである。
【００４４】
マッピング部１１３により生成された信号は無線送信部１１４へと出力される。無線送信部１１４では、送信方式にあった形態に変換され、具体的にＯＦＤＭＡに準じた通信方式であれば、周波数領域の信号に対してＩＦＦＴ（Inverse Fast Fourier Transformation）が施されることにより、時間領域の信号が生成される。無線送信部１１４の出力信号はアンテナ１４０に供給され、ここから各移動局装置へ送信される。
【００４５】
スケジューリング部１２０は、上位レイヤからの制御情報および移動局装置から送信された情報を管理および制御し、各移動局装置へのリソース割り振りや変調方式、符号化率の決定およびこれらの動作の制御やその制御情報の出力などを行なっている。また、スケジューリング部１２０がアピリオディックＳＲＳの送信タイミング（時間リソース）、リソースブロック（周波数リソース）そして符号リソースを管理することが本発明の特徴である。
【００４６】
下りリンク送信リソース情報制御部１２１は、各移動局装置が利用する下りリンクリソースをスケジューリング・管理するとともに、その制御信号の生成を行なう。上りリンク送信リソース情報制御部１２２は、各移動局装置が利用する上りリンクリソースを管理するとともに、その制御信号の生成を行なう。ピリオディックＳＲＳ送信スケジュール制御部１２３は、それぞれの移動局装置に対して適用するピリオディックＳＲＳの送信リソース（時間リソース、周波数リソース、符号リソース）を管理するとともに、ＳＲＳサブフレームに関する設定と管理も行なう。アピリオディックＳＲＳ送信スケジュール制御部１２４は、それぞれの移動局装置に対して適用するアピリオディックＳＲＳの送信リソース（時間リソース、周波数リソース、符号リソース）を管理するとともに、それを通知するためのＵＬ  Ｇｒａｎｔ生成と管理も行なう。
【００４７】
一方、移動局装置から送信された信号は、アンテナ１４０で受信された後、無線受信部１３１に入力される。無線受信部はデータや制御信号を受け取り、送信方式に応じたディジタル信号を生成して出力する。具体的にＯＦＤＭ方式やＳＣ−ＦＤＭＡ方式が採用されているのであれば、受信信号をアナログ・ディジタル変換した後、処理時間単位でＦＦＴ処理を施した信号が出力される。ここで、無線受信部１３１には、上りリンクの伝搬路の状況を計測するための信号と、例えば上位レイヤで処理されるデータ信号や制御情報として管理されるべき情報を含む信号などの信号の２種類に分けられ、それぞれ第一の信号および第二の信号として出力される。
【００４８】
無線受信部１３１の第一の出力はＳＲＳ分離・算出部１３２へ出力される。ここでは、上りリンク信号に含められたアピリオディックＳＲＳもしくはピリオディックＳＲＳが抽出され、そこから得られる各移動局装置のチャネル情報をスケジューリング部１２０へ出力する。特に、ＳＲＳは時間、周波数、符号リソースによってユーザごと、もしくは他の情報と多重されている可能性があり、ピリオディックＳＲＳ送信スケジュール制御部１２３もしくはアピリオディックＳＲＳ送信スケジュール制御部１２４で管理するリソース割り当て情報に従って、これらの分離が行なわれる。
【００４９】
無線受信部１３１の第二の出力は逆マッピング・復調処理部１３３へと出力される。逆マッピング・復調処理部１３３にはスケジューリング部１２０が管理するマッピングパターン、変調方式および符号化率を利用して、移動局装置から送信された複数種類の情報をそれぞれ復調、抽出する。ここで、上りリンク信号に空間多重が適用されており、２種類以上の通信品質の異なる情報が同時に送信されていれば、それぞれの信号が含まれている時間、周波数位置をあらかじめ分離し、スケジューリング部１２０から入力される制御情報に従って、それぞれ異なる変調方式、符号化率、空間多重数を適用した逆マッピング、復調処理が行なわれる。このような処理により得られた信号のうち、上位レイヤで処理されるものについては上位レイヤへと出力され、スケジューリング部１２０で管理される制御情報、たとえばＣＱＩやＲＩなどについては、スケジューリング部１２０に出力される。
【００５０】
図２は、本発明の実施形態に係る移動局装置の一構成例を示す機能ブロック図である。各移動局装置は、図２に示すように、受信部２１０、スケジューリング情報管理部２２０、送信部２３０、および、アンテナ２４０を備えている。受信部２１０は無線受信部２１１、復調処理部２１２、下りリンク伝搬路算出部２１３を備えている。また、スケジューリング情報管理部２２０は下りリンク送信リソース情報管理部２２１、上りリンク送信リソース情報管理部２２２、ピリオディックＳＲＳ送信スケジュール管理部２２３、そしてアピリオディックＳＲＳ送信スケジュール管理部２２４を備えている。アンテナ２４０は上りリンク信号の送信および下りリンク信号の受信に必要な数だけ備えられている。送信部２３０は符号化部２３１、変調部２３２、マッピング部２３３、無線送信部２３４を備えている。
【００５１】
基地局装置から送信される下りリンク信号をアンテナ２４０で受信すると、この受信信号は無線受信部２１１へ入力される。無線受信部２１１では、アナログ・ディジタル（A/D）変換などの他に、通信方式に応じた処理が施され、出力される。具体的にＯＦＤＭＡであれば、Ａ／Ｄ変換後の時系列の信号はＦＦＴ処理され、時間・周波数領域の信号に変換されて出力される。
【００５２】
無線受信部２１１の出力信号は復調処理部２１２へ入力される。これとともに復調処理部２１２にはスケジューリング情報管理部２２０から出力される下りリンク信号のスケジューリング情報（つまり自局宛の信号がどこに割り当てられているかという情報）、空間多重の系列数、変調方式、符号化率といった制御情報も入力され、復調処理が行なわれる。復調された信号は信号の種類によって分類され、上位レイヤにて処理される情報は上位レイヤへと渡され、スケジューリング情報管理部にて管理される情報についてはスケジューリング情報管理部に入力される。ここでスケジューリング情報管理部にて管理される情報とは、アピリオディックＳＲＳを送信するリソース（時間、周波数、符号リソース）に関するものを含むことが本発明の特徴である。下りリンク伝搬路算出部２１３は無線受信部２１１から提供される伝搬路算出用の信号を入力信号として、下りリンクに適用できる空間多重の系列数、変調方式、符号化率といった管理情報を計算する。この管理情報はスケジューリング情報管理部２２０へと入力される。
【００５３】
スケジューリング情報管理部２２０は基地局装置から送信された制御情報を管理し、また、移動局装置で算出された制御情報を基地局装置へ送信するための管理も行なう。下りリンク送信リソース情報管理部２２１は、基地局装置から送信された自局の下りリンクリソース情報を管理するとともに、下りリンク信号の送信制御を行なう。上りリンク送信リソース情報管理部２２２は、基地局装置から送信された自局の上りリンクリソース情報を管理するとともに、上りリンク信号の送信制御を行なう。さらに、ピリオディックＳＲＳ送信スケジュール管理部２２３は、基地局装置から送信されたピリオディックＳＲＳの送信リソース（時間リソース、周波数リソース、符号リソース）を管理するとともに、それらのリソースを用いたＳＲＳ送信の制御を行なう。また、ＳＲＳサブフレームに関する管理も行なう。アピリオディックＳＲＳ送信スケジュール管理部２２４は、基地局装置から送信されたアピリオディックＳＲＳの送信リソース（時間リソース、周波数リソース、符号リソース）を管理するとともに、そのリソースを用いたアピリオディックＳＲＳの生成も制御する。
【００５４】
送信部２３０は、上りリンクデータやアピリオディックＳＲＳなどの情報を割り当てられた上りリンクリソースにおいて送信する。下りリンクデータおよびスケジューリング情報管理部２２０で管理される信号は、その送信タイミングにおいて符号化部２３１へ供給され、入力された信号はそれぞれの種類によって異なる符号化率の符号化が行なわれる。この複数系列の出力信号は変調部２３２へと入力され、それぞれの種類によって異なる変調方式により変調される。この出力はマッピング部２３３へと出力され、送信情報ごとの空間多重数、およびマッピング位置情報に応じて信号のマッピングを行なう。具体的に、送信方式にＳＣ−ＦＤＭＡが適用される場合には割り当てられた周波数領域に信号をマッピングする。
【００５５】
マッピング部２３３によりマッピングされた信号は、無線送信部２３４へ入力される。無線送信部２３４ではこれらの信号が送信する信号形態に変換される。具体的には、周波数領域の信号をＩＦＦＴにより時間領域の信号へ変換し、ガードインターバルを付与する動作などがこれに相当する。無線送信部２３４の出力はアンテナ２４０に供給される。
【００５６】
図３は、本発明の第１の実施形態に係る基地局装置から移動局装置Ａ、移動局装置ＢへＳＲＳの設定が行なわれ、アピリオディックＳＲＳが送信されることを想定したシーケンスチャートである。ここでは、ピリオディックＳＲＳが送信される手順については詳細を割愛しているが、アピリオディックＳＲＳと共存することも可能であり、その送信時刻のタイミングに関わらず本実施形態と同様の手順を適用することが可能である。
【００５７】
基地局装置は移動局装置Ａおよび移動局装置Ｂに対して、ＳＲＳに関する設定を通知する（ステップＳ１０１Ａ、ステップＳ１０１Ｂ）。ここでは、ＳＲＳサブフレームの通知や、ピリオディックＳＲＳの割り当て情報に関する情報の通知が行なわれる。ここで、ステップＳ１０１Ａ、ステップＳ１０１Ｂに対応する処理は１サブフレームで完結する必要はなく、数サブフレームを利用して行なってもよい。ＳＲＳに関する設定を通知された移動局装置は、その設定に従ってアピリオディックＳＲＳを割り当てられたリソースで送信することとなる。ここでリソースとは、時間、周波数、符号リソースのことを表す。ただし、アピリオディックＳＲＳとピリオディックＳＲＳは互いに影響を及ぼさないため、ピリオディックＳＲＳが送信されるタイミングについてはここでは明記しない。
【００５８】
次に基地局装置は移動局装置Ａおよび移動局装置Ｂに対して上りリンク割り当て信号（UL Grant）を送信する（ステップＳ１０２Ａ、ステップＳ１０２Ｂ）。ここで、移動局装置Ａに送信されるＵＬ  ＧｒａｎｔはＳＲＳを送信することを指示せず、データ信号とＤＭＲＳを送信することを指示するものであり、割り当てられたリソースブロックの位置、変調方式、符号化率、ＤＭＲＳの直交符号系列（CAZAC系列に適用するサイクリックシフト）などが記載されている。これを受信した移動局装置Ａは、ＵＬ  Ｇｒａｎｔに従ってデータ信号を生成し（ステップＳ１０３Ａ）、また、ＤＭＲＳ信号も生成する（ステップＳ１０４Ａ）。そして、割り当てられた時間、周波数リソースにおいてこれらのデータ信号およびＤＭＲＳを基地局装置へ送信する（ステップＳ１０５Ａ）。
【００５９】
図４は、本発明の第１の実施形態に係るＳＲＳの送信の方法について具体的に示した図である。ここで、図４に示すとおり、ＤＭＲＳは第３ＳＣ−ＦＤＭＡシンボルにマッピングされるものとする。
【００６０】
一方、移動局装置Ｂに送信されるＵＬ  ＧｒａｎｔにはアピリオディックＳＲＳを送信することを指定する情報が記載されている（ステップＳ１０２Ｂ）。続いて、移動局装置Ｂはサウンディング信号を生成する（ステップＳ１０３Ｂ）。ここで、移動局装置Ａに送信されたＵＬ  Ｇｒａｎｔとの違いは、移動局装置Ｂではデータ送信を行なわず、ＤＭＲＳがマッピングされるＳＣ−ＦＤＭＡシンボルでのみ信号送信を行なう点である。
【００６１】
これらのＵＬ  Ｇｒａｎｔを識別する方法として、識別ビットをＵＬ  Ｇｒａｎｔに含めることや、ＵＬ  Ｇｒａｎｔの検出に利用される誤り検出用のＣＲＣ（Cyclic Redundancy Check）のビット列に特定の系列の排他的論理和を適用することなどが挙げられる。具体的なＵＬ  Ｇｒａｎｔの構成として、割り当てられたリソースブロックの位置、アピリオディックＳＲＳの直交符号系列（CAZAC系列に適用するサイクリックシフト）が記載されている。この直交符号系列はここで送信されるアンテナの本数分だけ通知されてもよいし、一つのサイクリックシフトとアンテナ本数が通知され、サイクリックシフトが一意に決定するようにあらかじめ仕様にて決定してもよい。ここでアピリオディックＳＲＳの直交符号系列は、移動局装置ＡのＤＭＲＳと直交する系列が選ばれているものとする。具体的には移動局装置ＡのＤＭＲＳに利用されたＣＡＺＡＣ系列をサイクリックシフトした系列が利用される。
【００６２】
ＵＬ  Ｇｒａｎｔを受信した移動局装置Ｂは、図４に示すとおり各スロットの３番目のＳＣ−ＦＤＭＡシンボル、つまり移動局装置ＡがＤＭＲＳを送信するＳＣ−ＦＤＭＡシンボルのみでＳＲＳを送信する（ステップＳ１０５Ｂ）。なお、直交系列が複数割り当てられている場合には、この複数の送信アンテナに対応したＳＲＳをこのＳＣ−ＦＤＭＡシンボルで符号多重して送信することもできる。また、スロット＃０とスロット＃１で異なるアンテナからＳＲＳを送信してもよい。また、このＵＬ  Ｇｒａｎｔの中にはスロットごとに周波数を変える（周波数ホッピングする）ことを示す情報を含めてもよい。これにより、一度のＳＲＳ送信指示でより広い範囲の周波数帯域をサポートすることができる。
【００６３】
移動局装置Ａおよび移動局装置Ｂから送信される信号を受信した基地局装置は（ステップＳ１０６）、ＤＭＲＳ、アピリオディックＳＲＳが送信された第３ＳＣ−ＦＤＭＡシンボルに対して逆拡散処理を行なう（ステップＳ１０７）。これにより、基地局装置は移動局装置Ｂの各アンテナに対応したチャネルを知ることができる。以上の手順により、既存のシステムの物理構造に対応した、新たなＳＲＳの送信が可能になる。
【００６４】
（第２の実施形態）
図５は、本発明の第２の実施形態に係る基地局装置と移動局装置との間の処理および信号の流れを示すシーケンスチャートである。基地局装置と移動局装置の構成は、図１および図２に示した構成と同様のものを利用することができる。ここで、第１の実施形態と異なる点は、ＰＵＳＣＨのデータ送信領域（つまり図４の第０、１、２、４、５、６SC-FDMAシンボル）を利用してアピリオディックＳＲＳを送信することである。なお、本実施形態においては、一つの移動局装置にのみ着目した手順について説明するが、ＴＤＭＡ、ＦＤＭＡ、ＣＤＭＡを適用することで同様の手順を複数の移動局装置に拡張することも可能である。
【００６５】
基地局装置は移動局装置に対して、ＳＲＳに関する設定を通知する（ステップＳ２０１）。ここでは、ＳＲＳサブフレームの通知や、ピリオディックＳＲＳの割り当て情報に関する情報の通知が行なわれる。ここで、ステップＳ２０１に対応する処理は１サブフレームで完結する必要はなく、数サブフレームを利用して行なってもよい。ＳＲＳに関する設定を通知された移動局装置は、その設定に従ってアピリオディックＳＲＳを割り当てられたリソースで送信する。ここでリソースとは、時間、周波数、符号リソースのことを表す。ただし、アピリオディックＳＲＳとピリオディックＳＲＳは互いに影響を及ぼさないため、ピリオディックＳＲＳが送信されるタイミングについてはここでは明記しない。
【００６６】
次に基地局装置は移動局装置に対して上りリンク割り当て信号（UL Grant）を送信する（ステップＳ２０２）。ここで受信したＵＬ  ＧｒａｎｔにはアピリオディックＳＲＳを送信することを指定する情報が記載されている。ここで、第一の実施形態で示したアピリオディックＳＲＳ送信のためのＵＬ  Ｇｒａｎｔとの違いは、アピリオディックＳＲＳを送信するＳＣ−ＦＤＭＡシンボル、直交符号系列、そしてそれに対応する送信アンテナの関係を示す情報が含まれていることである。具体的なＵＬ  Ｇｒａｎｔの構成として、割り当てられたリソースブロックの位置、利用可能なＳＣ−ＦＤＭＡシンボルの位置情報、アピリオディックＳＲＳの直交符号系列（サイクリックシフト）が記載されている。利用可能なＳＣ−ＦＤＭＡシンボルの位置情報は例えば７ｂｉｔで構成されていて、割り当てられたＳＣ−ＦＤＭＡの位置の順序でアンテナ１から順にＳＲＳを送信するようにしてもよい。
【００６７】
ＳＲＳの系列にはどのような系列を利用してもよいが、周波数領域で振幅が一定となる直交系列であるＣＡＺＡＣ系列などを用いることができる。これに対してサイクリックシフトを適用すれば、複数の移動局装置を同時に多重することもできる。上記の処理により、移動局装置ＡはＳＲＳ信号を生成し（ステップＳ２０３）、割り当てられた時間（サブフレーム、スロット、SC-FDMAシンボル）、周波数、符号を用いて基地局装置にアピリオディックＳＲＳを送信する（ステップＳ２０４）。
【００６８】
図６は、本発明の第２の実施形態に係るＳＲＳの送信の方法について具体的に示した図である。ここで、図６に示すとおり、ＳＲＳは第３ＳＣ−ＦＤＭＡシンボル以外の、例えば第０、１、４、５SC-FDMAシンボルマッピングされるものとする。
【００６９】
移動局装置から送信される信号を受信した基地局装置は（ステップＳ２０５）、アピリオディックＳＲＳが送信されたＳＣ−ＦＤＭＡシンボルに対して逆拡散処理を行なう（ステップＳ２０６）。これにより、移動局装置は移動局装置Ｂの各アンテナに対応したチャネルを知ることができる。以上の手順により、既存のシステムの物理構造に対応した、新たなＳＲＳの送信が可能になる。
【００７０】
（第３の実施形態）
図７は、本発明の第３の実施形態に係る基地局装置と移動局装置との間の処理および信号の流れを示すシーケンスチャートである。基地局装置と移動局装置の構成は、図１および図２に示した構成と同様のものを利用することができる。ここで、第１および第２の実施形態と異なる点は、ＰＵＳＣＨのデータ送信領域（つまり図４の第０、１、２、４、５、６SC-FDMAシンボル）を利用してアピリオディックＳＲＳを送信することと同時に、利用されなかったＳＣ−ＦＤＭＡシンボルではデータ信号などＳＲＳ以外の信号を送信することである。
【００７１】
基地局装置は移動局装置に対して、ＳＲＳに関する設定を通知する（ステップＳ３０１）。ここでは、ＳＲＳサブフレームの通知や、ピリオディックＳＲＳの割り当て情報に関する情報の通知が行なわれる。ここで、ステップＳ３０１に対応する処理は１サブフレームで完結する必要はなく、数サブフレームを利用して行なってもよい。ＳＲＳに関する設定を通知された移動局装置は、その設定に従ってアピリオディックＳＲＳを割り当てられたリソースで送信する。ここでリソースとは、時間、周波数、符号リソースのことを表す。ただし、アピリオディックＳＲＳとピリオディックＳＲＳは互いに影響を及ぼさないため、ピリオディックＳＲＳが送信されるタイミングについてはここでは明記しない。
【００７２】
次に移動局装置は移動局装置Ａおよび移動局装置Ｂに対して上りリンク割り当て信号（UL Grant）を送信する（ステップＳ３０２）。ここで受信したＵＬ  ＧｒａｎｔにはアピリオディックＳＲＳとその他の情報を同時に送信することを指定する情報が記載されている。例えば、アピリオディックＳＲＳとＣＱＩ（Channel Quality Information）を同時に送信する場合が挙げられる。この場合、ＵＬ  ＧｒａｎｔにはアピリオディックＳＲＳとＣＱＩを同時に送信することを通知する情報が含まれる。
【００７３】
図８Ａは、本発明の第３の実施形態に係るＳＲＳの送信の方法について具体的に示した図である（CQIと同時送信）。移動局装置はＣＱＩとアピリオディックＳＲＳを図８Ａに示されるとおりに配置する。つまり、スロット＃０、＃１の第０、１、５、６ＳＣ−ＦＤＭＡシンボルでアピリオディックＳＲＳが配置され、データ信号復調のためのＤＭＲＳは各スロットの第３ＳＣ−ＦＤＭＡシンボルで送信され、そしてそれ以外のＳＣ−ＦＤＭＡシンボルではデータ信号が送信される。さらに別の例として、アピリオディックＳＲＳとデータを同時に送信する場合が挙げられる。
【００７４】
図８Ｂは、本発明の第３の実施形態に係るＳＲＳの送信の方法について具体的に示した図である（データと同時送信）。この場合においてＵＬ  ＧｒａｎｔにアピリオディックＳＲＳを含めて送信することを通知する方法として、アピリオディックＳＲＳの有無を表す１ビットを設けることや、ＵＬ  Ｇｒａｎｔの検出に利用される誤り検出用のＣＲＣ（Cyclic Redundancy Check）のビット列に特定の系列の排他的論理和を適用することなどが挙げられる。続いて、移動局装置はサウンディング信号を生成する（ステップＳ３０３）。次に、アピリオディックＳＲＳと同時送信する、ＣＱＩもしくはデータ信号を生成する（ステップＳ３０４）。
【００７５】
移動局装置はデータ信号とアピリオディックＳＲＳを図８Ｂに示されるとおりに配置する。つまり、スロット＃１の第６ＳＣ−ＦＤＭＡシンボルでアンテナ本数に対応したアピリオディックＳＲＳが符号多重され、データ信号復調のためのＤＭＲＳは各スロットの第３ＳＣ−ＦＤＭＡシンボルで送信され、そしてそれ以外のＳＣ−ＦＤＭＡシンボルではデータ信号が送信される（ステップＳ３０５）。
【００７６】
移動局装置Ａおよび移動局装置Ｂから送信される信号を受信した基地局装置は（ステップＳ３０６）、ＤＭＲＳ、アピリオディックＳＲＳが送信された第３番目のＳＣ−ＦＤＭＡシンボルに対して逆拡散処理を行なう（ステップＳ３０７）。これにより、移動局装置は移動局装置Ｂの各アンテナに対応したチャネルを知ることができる。以上の手順により、既存のシステムの物理構造に対応した、新たなＳＲＳの送信が可能になる。
【００７７】
また、以上に説明したそれぞれの実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。尚、ここでいう「コンピュータシステム」とは、ＯＳや周辺機器等のハードウェアを含むものとする。
【００７８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００７９】
以上、この発明の実施形態について図面を参照して詳述してきたが、具体的な構成はこれらの実施形態に限られるものではなく、この発明の要旨を逸脱しない範囲の設計等も特許請求の範囲に含まれる。
【符号の説明】
【００８０】
１１０  送信部
１２０  スケジューリング部
１２１  下りリンク送信リソース情報制御部
１２２  上りリンク送信リソース情報制御部
１２３  ピリオディックＳＲＳ送信スケジュール制御部
１２４  アピリオディックＳＲＳ送信スケジュール制御部
１３０  受信部
２１０  受信部
２２０  スケジューリング情報管理部
２２１  下りリンク送信リソース情報管理部
２２２  上りリンク送信リソース情報管理部
２２３  ピリオディックＳＲＳ送信スケジュール管理部
２２４  アピリオディックＳＲＳ送信スケジュール管理部
２３０  送信部
【図１】
2011035785.tif 000003
【図２】
2011035785.tif 000004
【図３】
2011035785.tif 000005
【図４】
2011035785.tif 000006
【図５】
2011035785.tif 000007
【図６】
2011035785.tif 000008
【図７】
2011035785.tif 000009
【図８Ａ】
2011035785.tif 000010
【図８Ｂ】
2011035785.tif 000011
【図９】
2011035785.tif 000012
【図１０】
2011035785.tif 000013
【図１１】
2011035785.tif 000014